(57)【要約】【課題】袋体の中に入れた台紙に取り付けられた釣り用仕掛けをスリットから容易に取り出せる釣り用仕掛け入れを提供することである。【解決手段】主に包装用の釣り用仕掛け入れに関し、釣り用仕掛け３を取り付ける台紙１とこれを収納する袋体２から成り、台紙１は紙や合成樹脂の板からなり、中央に長方形の透孔１ａが穿設され、両側に係止用の切込み１ｂが形成されている。台紙１には透孔１ａを横断するように複数の繊維を収束した糸状の目印（毛糸状の目印）からなる釣り用仕掛け３が７ｃｍ程度に切り揃えられて複数本が左右の係止用の切込みに両側を係止して両切込み１ｂ間に台紙１の左側辺から右側辺に達するように台紙１を左右に跨ぐように張られて両端は裏側に折り込むように折り曲げて取り付けられ、袋体２は透明性を有しスリット２ｂが形成されている。【選択図】　　　　図２
2004113080.tif 000002
【特許請求の範囲】
【請求項１】
台紙に取り付けた釣り用仕掛け入れを袋体に収納し、該袋体の側面に袋体内側に通じるスリットを設けたことを特徴とする釣り用仕掛け入れ。
【請求項２】
スリットを覆うカバ−体を有することを特徴とする請求項１記載の釣り用仕掛け入れ。
【請求項３】
台紙は取り付けた釣り用仕掛けを台紙から離間させるための突部を有していることを特徴とする請求項１または２記載の釣り用仕掛け入れ。
【請求項４】
台紙は取り付けた釣り用仕掛けの下側に穴を有していることを特徴とする請求項１乃至３記載の釣り用仕掛け入れ。
【発明の詳細な説明】
【０００１】
【発明の属する技術分野】
本発明は、主に包装用の釣り用仕掛け入れの改良に関する。
【０００２】
【従来の技術】
【特許文献１】特開平８−３３２０１２号公報
【特許文献２】特開平９−６５８１０号公報
【０００３】
【特許文献１】には、糸付針を取り付ける台紙が記載されているが、袋の表示はない。
【特許文献２】には、釣り針を摘む溝を有する釣り針収納ケ−スが紹介されている。
ただし、台紙と袋から成るいわゆる包装用の仕掛け入れではない。
【０００４】
従来の主に包装用の釣り用仕掛け入れは、釣り糸付の仕掛け、釣り糸付釣り針、糸状の目印などが台紙に巻回されて取り付けられ、ピニ−ルの袋に収納され、袋の入口が閉じられて販売されていた。
多くの釣り人はこれらの仕掛けをそのまま釣り場に持参して使用しているため、この包装用の釣り用仕掛け入れがそのまま釣り場での仕掛け入れを兼ねることとなる。
ところが、釣り場に於ては仕掛けの出し入れが頻繁になり、仕掛け取り出しの度に袋から台紙を取り出し必要な仕掛けを取り出してから再び袋に収納していると次第に台紙に残した仕掛けの台紙への取り付き具合いが甘くなって外れてしまい仕掛けが傷付いてしまったり、台紙から外れた仕掛けが引っかかって再び袋に戻せなくなると言う欠点があった。
【０００５】
【発明が解決しようとする課題】
解決しようとする課題は、
特許文献１の仕掛け用台紙は袋を有していない。
又、この様な台紙が袋に収納されていても仕掛けの取り出しが難しい。
特許文献２は釣り針を摘む溝を有していても、この溝から釣り針を引き抜くことはできないため仕掛けの取り出しが難しい。
ことである。
【０００６】
本発明の目的は前記欠点に鑑み、袋体の中に入れた台紙に取り付けられた釣り用仕掛けをスリットから容易に取り出せる釣り用仕掛け入れを提供することである。
【０００７】
【課題を解決するための手段】
上記課題を解決するために、
請求項１に係わる本発明は、台紙に取り付けた釣り用仕掛け入れを袋体に収納し、該袋体の側面に袋体内側に通じるスリットを設けたことを要旨とするものである。
請求項２に係わる本発明は、スリットを覆うカバ−体を有することを要旨とするものである。
請求項３に係わる本発明は、台紙は取り付けた釣り用仕掛けを台紙から離間させるための突部を有していることを要旨とするものである。
請求項４に係わる本発明は、台紙は取り付けた釣り用仕掛けの下側に穴を有していることを要旨とするものである。
【０００８】
【発明の実施の形態】
請求項１の本発明により、スリット２ｂを通して袋体２から台紙１を取り出さなくても容易に釣り用仕掛け３を取り出すことが出来る。
請求項２の本発明により、スリット２ｂを閉塞するカバ−体４を設けておけば、スリット２ｂにおける釣り用仕掛け３の傷付が防止できる。
請求項３の本発明により、台紙１の突部１ｃ、１ｄや台紙５の突部５ｂによって釣り用仕掛け３が台紙１、５から離間しているため、容易に摘むことが出来、より釣り用仕掛け３の取り出しが簡単になる。
請求項４の本発明により、台紙１の透孔１ａによって釣り用仕掛け３が台紙１から離間しているため、容易に摘むことが出来、より釣り用仕掛け３の取り出しが簡単になる。
【０００９】
【実施例】
以下、図示の実施例によって本発明を説明すると、図１、図２は第１実施例で、図１の（ａ）は台紙に糸状の目印からなる釣り用仕掛けが取り付けられた平面図で（ｂ）は袋体の平面図（ｃ）は袋体に台紙が入れられた平面図、図２は袋体に台紙が入れられた拡大断面側面図である。
【００１０】
本件の釣り用仕掛け入れは、主に包装用の釣り用仕掛け入れに関し、釣り用仕掛けを取り付ける台紙１とこれを収納する袋体２から成っている。
台紙１は紙や合成樹脂の板からなり、中央に長方形の透孔１ａが穿設され、両側に係止用の切込み１ｂが形成されている。
この台紙１には透孔１ａを横断するように複数の繊維を収束した糸状の目印（毛糸状の目印）からなる釣り用仕掛け３が７ｃｍ程度に切り揃えられて複数本が左右の係止用の切込みに両側を係止して両切込み１ｂ間に台紙１の左側辺から右側辺に達するように台紙１を左右に跨ぐように張られて両端は裏側に折り込むように折り曲げて取り付けられる。
【００１１】
袋体２は柔軟性を有する合成樹脂等から形成され、上端に沿ってチャック２ａで開閉自在な開口を有し、前面と後面はわずかな間隔で重なって設けられ台紙１を収納したときに遊びが少ないように成っている。
袋体２は透光性を有し中に収納した台紙１や釣り用仕掛け３が外側から見え、前面には、袋体２の内部に通じるスリット２ｂが上下方向に設けられている。
スリット２ｂの位置は台紙１の透孔１ａの上側の位置にするとよい。
スリット２ｂは最初から開けられているように切り込まれていてもよいし、両側から引っ張られることで始めて開くタイプであってもよい。
【００１２】
糸状の目印からなる釣り用仕掛け３が袋体２の中から取り出される時は、スリット２ｂから手の指が差し込まれて釣り用仕掛け３を摘むことで引いて取り出される。
この時台紙１に釣り用仕掛け３を横断するように透孔１ａが穿設されているので、この位置で釣り用仕掛け３は台紙１から離間しているから差し込んだ手の指で釣り用仕掛け３が摘み易い。
このようにして、釣り用仕掛け３は台紙１を袋体２の中から取り出さずに取り出すことができる。
スリットは切開状に設けるほかさらに幅広に設けても良く（取り出そうとする仕掛け以外の仕掛けが引き出されないようにするため３０ｍｍ以下が好ましい）また、重なりを持った開口状にしても良い。
【００１３】
前記のように釣り用仕掛け入れが構成されていると、スリット２ｂを通して袋体２から台紙１を取り出さなくても容易に釣り用仕掛け３を取り出すことが出来る。
台紙１の透孔１ａによって釣り用仕掛け３が台紙１が離間しているため、容易に摘むことが出来、より釣り用仕掛け３の取り出しが簡単になる。
穴はこのように透孔１ａのように形成しなくても凹状に形成した有底の穴でもよい。
【００１４】
図３、図４は第２実施例で、図３の（ａ）は台紙に糸状の目印からなる釣り用仕掛けが取り付けられた平面図で（ｂ）は袋体の平面図（ｃ）は袋体に台紙が入れられた平面図、図４は袋体に台紙が入れられた拡大断面側面図である。
【００１５】
第２実施例では、袋体２の内部に通じるスリット２ｂの表面がカバ−体４で覆われている。
カバ−体４は裏面に粘着剤が塗布されて袋体２に着脱自在に構成され、スリット２ｂを覆ったり、スリット２ｂを露呈させたりできるようになっている。
他の構成は前記第１実施例と略同一である。
【００１６】
第２実施例のように、スリット２ｂを閉塞するカバ−体４を設けておけば、スリット２ｂにおける釣り用仕掛け３の傷付が防止できる。
【００１７】
図５、図６は第３実施例で、図５の（ａ）は台紙に糸状の目印からなる釣り用仕掛けが取り付けられた平面図で（ｂ）は袋体の平面図（ｃ）は袋体に台紙が入れられた平面図、図４は袋体に台紙が入れられた拡大断面側面図である。
【００１８】
第３実施例では、袋体２の内部に通じるスリット２ｂが後面から前面に折り返されて一部が重ね合わされた一方の片部ａと他方の片部ｂの隙間から成っている。
他の構成は前記第１実施例と略同一である。
【００１９】
図７、図８は第４実施例で、図７の（ａ）は台紙に糸状の目印からなる釣り用仕掛けが取り付けられた平面図で（ｂ）は袋体の平面図（ｃ）は袋体に台紙が入れられた平面図、図８は袋体に台紙が入れられた拡大断面側面図である。
【００２０】
第４実施例では、台紙１の略中央に山形状に折曲された突部１ｃが形成されている。
糸状の目印からなる釣り用仕掛け３が台紙１に取り付けられると、突部１ｃで台紙１から離間されている。
スリット２ｂは袋体２の上下方向に釣り用仕掛けを横切って形成され、突部１ｃの位置に合致する突部１ｃの上側の位置に設けられる。
他の構成は前記第１実施例と略同一である。
【００２１】
第４実施例では、突部１ｃで糸状の目印からなる釣り用仕掛け３は台紙１から離間されているため、台紙１と糸状の目印からなる釣り用仕掛け３との間の空間を利用して指を差し込んで容易に釣り用仕掛け３を摘むことが出来るためさらに取り出しが容易になる。
突部１ｃは釣り用仕掛け３が台紙１から離間されれば良く、台紙１上に複数設けたり、台紙１自体を波状に折り曲げて凹凸を形成しても良い。
【００２２】
図９、図１０は第５実施例で、図９の（ａ）は台紙に糸状の目印からなる釣り用仕掛けが取り付けられた平面図で（ｂ）は袋体の平面図（ｃ）は袋体に台紙が入れられた平面図、図１０は袋体に台紙が入れられた拡大断面側面図である。
【００２３】
第５実施例では、台紙１から切り起こされた複数の突部１ｄが形成されている。
糸状の目印からなる釣り用仕掛け３が台紙１に取り付けられると、突部１ｄで台紙１から離間されている。
他の構成は前記第１実施例と略同一である。
【００２４】
図１１、図１２は第６実施例で、図１１の（ａ）は台紙に糸状の目印からなる釣り用仕掛けが取り付けられた平面図で（ｂ）は袋体の平面図（ｃ）は袋体に台紙が入れられた平面図、図１２は袋体に台紙が入れられた拡大断面側面図である。
【００２５】
第６実施例では、台紙５は紙や合成樹脂の板が二つ折りされて上側の部分５ａの一側に山形で鈎状の突部５ｂが形成されている。
山形で鈎状の突部５ｂには釣り用仕掛け３の釣り針６の針先が引っ掛けられ、釣り針６に固定された釣り糸７が台紙５の二つ折りの他側から下側に回されている。
袋体２の釣り針６の端位置の上側にスリット２ｂが形成されている。
他の構成は前記第１実施例と略同一である。
【００２６】
山形で鈎状の突部５ｂに釣り針６が掛け止めされて釣り針６の端位置の下側に台紙５から離れた空間があるので、スリット２ｂから指を差し込んで釣り用仕掛け３を摘み出すことが容易にできる。
【００２７】
【発明の効果】
本発明は、以上説明したような形態で実施され、以下に記載されるような効果を奏する。
【００２８】
請求項１により、スリットを通して袋体から台紙を取り出さなくても容易に釣り用仕掛けを取り出すことが出来る。
請求項２により、スリットを閉塞するカバ−体を設けておけば、スリットにおける釣り用仕掛けの傷付が防止できる。
請求項３により、台紙の突部によって釣り用仕掛けが台紙から離間しているため、容易に摘むことが出来、より釣り用仕掛けの取り出しが簡単になる。
請求項４により、台紙の穴によって釣り用仕掛けが台紙から離間しているため、容易に摘むことが出来、より釣り用仕掛けの取り出しが簡単になる。
【図面の簡単な説明】
【図１】第１実施例で、（ａ）は台紙に糸状の目印からなる釣り用仕掛けが取り付けられた平面図で（ｂ）は袋体の平面図（ｃ）は袋体に台紙が入れられた平面図である。
【図２】同袋体に台紙が入れられた拡大断面側面図である。
【図３】第２実施例で、（ａ）は台紙に糸状の目印からなる釣り用仕掛けが取り付けられた平面図で（ｂ）は袋体の平面図（ｃ）は袋体に台紙が入れられた平面図である。
【図４】同袋体に台紙が入れられた拡大断面側面図である。
【図５】第３実施例で、（ａ）は台紙に糸状の目印からなる釣り用仕掛けが取り付けられた平面図で（ｂ）は袋体の平面図（ｃ）は袋体に台紙が入れられた平面図である。
【図６】同袋体に台紙が入れられた拡大断面側面図である。
【図７】第４実施例で、（ａ）は台紙に糸状の目印からなる釣り用仕掛けが取り付けられた平面図で（ｂ）は袋体の平面図（ｃ）は袋体に台紙が入れられた平面図である。
【図８】同袋体に台紙が入れられた拡大断面側面図である。
【図９】第５実施例で、（ａ）は台紙に糸状の目印からなる釣り用仕掛けが取り付けられた平面図で（ｂ）は袋体の平面図（ｃ）は袋体に台紙が入れられた平面図である。
【図１０】同袋体に台紙が入れられた拡大断面側面図である。
【図１１】第６実施例で、（ａ）は台紙に糸状の目印からなる釣り用仕掛けが取り付けられた平面図で（ｂ）は袋体の平面図（ｃ）は袋体に台紙が入れられた平面図である。
【図１２】同袋体に台紙が入れられた拡大断面側面図である。
【符号の説明】
１、５　台紙
１ａ　透孔
１ｃ、１ｄ、５ｂ　突部
２　袋体
２ｂ　スリット
３　釣り用仕掛け
４　カバ−体
【図１】
2004113080.tif 000003
【図２】
2004113080.tif 000004
【図３】
2004113080.tif 000005
【図４】
2004113080.tif 000006
【図５】
2004113080.tif 000007
【図６】
2004113080.tif 000008
【図７】
2004113080.tif 000009
【図８】
2004113080.tif 000010
【図９】
2004113080.tif 000011
【図１０】
2004113080.tif 000012
【図１１】
2004113080.tif 000013
【図１２】
2004113080.tif 000014